(57)【特許請求の範囲】
【請求項１】
商品陳列棚を構成するデッキパンの裏側に前後の方向に突出し滑動可能な２個のロッドを設け、デッキパンの２箇所に設けた開口部のデッキパンの表側に露出するように２個の操作部を設け、操作部とロッドとをそれぞれ連結し、デッキパンの表側から操作部を操作することにより、ロッドの先端をデッキパンの領域内に引き込み可能としたことを特徴とするショーケース。
【請求項２】
ロッドにロッドの先端をデッキパンより側方に突出させる力を及ぼすばねを設けたことを特徴とする請求項１記載のショーケース。
【請求項３】
案内具により案内支持された滑動板に操作部を形成し、滑動板をロッドと連結したことを特徴とする請求項１記載のショーケース。
【請求項４】
操作部をグリップにより形成することを特徴とする請求項１記載のショーケース。
【請求項５】
ロッドの一部をデッキパンの開口部に臨ませ、その部分を操作部として使用することを特徴とする請求項１記載のショーケース。
【請求項６】
ショーケース本体にロッドの先端を差し込み得る複数の受け穴を設けたことを特徴とする請求項１記載のショーケース。
【発明の詳細な説明】
【０００１】
【発明の属する技術分野】
本発明は、商品を陳列、販売するために使用されるショーケースに関する。
【０００２】
【従来の技術】
デッキパンと称される陳列板上に商品を陳列し販売する式のショーケースにおいて、商品の数又は種類に応じて天板の深さや傾斜角度を変えて陳列効果を高めることが行われるが、その深さ又は傾斜角度を変更する機構の一例は、図５のａに示すように金属線を格子状に組んだデッキ支え５１の金属線の後端５２を鉤状に折り曲げ、金属線の前端５３を突出させ、ｂに示すようにショーケースの前部のリターングリル５４に設けた孔５５に金属線の前端５３を挿入した後、金属線の後端４２をショーケースの背面パネル５６に設けた穴５７に引掛けることにより固定し、このデッキ支え５１の上にデッキパンを載せるようになっており、金属線の後端５２を引掛ける穴５７の上下の位置を変えることによるものである。このようなデッキパンの深さ、傾斜角度の変更機構によれば、先ずデッキパン上の商品を取除いてデッキパンを外し、次いでデッキ支えを一旦全部ショーケースの前後の穴から外して別の穴に挿入し、デッキパン、商品を置き直す作業をしなければならず、極めて煩雑である。
【０００３】
【発明が解決しようとする課題】
本発明の課題は、デッキパンの深さ及び傾斜角度を簡単に変更し得るショーケースを提供することにある。
【０００４】
【課題を解決するための手段】
上述の課題を解決するため、本発明によれば、商品陳列棚を構成するデッキパンの裏側に前後又は左右の方向に突出し滑動可能な２個のロッドを設け、デッキパンの２箇所に設けた開口部のデッキパンの表側に露出するように２個の操作部を設け、操作部とロッドとをそれぞれ連結し、デッキパンの表側から操作部を操作することにより、ロッドの先端をデッキパンの領域内に引き込み可能としたものである。
【０００５】
【発明の実施の形態】
本発明においては、ロッドにロッドの先端をデッキパンより突出させる方向の力を及ぼすばねを設け、案内具により案内支持された滑動板に操作部を形成し、滑動板をロッドと連結し、ショーケース本体にロッドの先端を差し込み得る複数の受け穴を設けるようにするのがよい。
【０００６】
【実施例】
次に本発明を図面に示す実施例について説明する。
【０００７】
図１は本発明の実施例の、ａは平面図、ｂはＢ−Ｂ線に沿う断面図、ｃは要部、即ちデッキパン、ロッド、滑動板及び操作部をａの矢印Ｃの方向から見た拡大図である。１はデッキパンで、図ではその裏側が示されており、その表側に商品が陳列される。２、３はそれぞれコの字状のロッドで、各ロッドはそのコの字の両側の部分においてロッドがその内部を滑動し得るように形成した２組のロッド案内具４、５により支持され、ロッドの先端６、７はデッキパンから突出している。このロッド案内具４、５内にはばね８、９が挿入され、ばねの一端はロッドに、他端は案内具に固定され、ロッドに対しロッドをデッキパンから側方に突出させる方向の力を作用させている。各ロッド２、３には連結部材１０、１１を介して滑動板１２、１３が連結され、滑動板１２、１３はその両縁の一部を銜えるように形成した案内具１４、１５により案内支持され滑動可能に構成されている。滑動板１２、１３には操作部１６、１７が取付けられ、この操作部は特にばね８、９の弾性に抗してロッド２、３の先端６、７をデッキパンの領域内に引き込ませる力を加え易い構造を有し、例えば図のｂに示すように、指を差し込んで矢印方向の力を加え易い凹部１８を備えている。この操作部はデッキパン１にデッキパンを貫通するように形成した開口部１９、２０に露出しており、デッキパン１の表側から凹部１８に指を差し込んで操作することができる。
【０００８】
次に本発明の使用方法を図２について説明する。図１と同等部分には同符号を付してある。デッキパン１をショーケースに取付けるときには、ａに示すように操作部１６、１７に指を差し込み、矢印方向に力を加えることにより滑動板１２、１３は案内具１４、１５に案内されて矢印方向に滑動し、従ってロッド２、３もばね８、９に抗して矢印方向に移動し、その各先端６、７はやがてデッキパン１の領域内にまで移動する。この状態でｂに示すようにショーケース本体２１内に差し込み、ロッドの先端をショーケース本体２１に設けた複数の受け穴２２の１つの位置に揃え、指の力を解放すると、ロッド２、３は矢印方向に戻り、ロッドの先端６、７はデッキパン外に突出し、受け穴２２内に進入し、デッキパン１はショーケース本体２１に固定される。デッキパン１の高さを変える場合には、操作部１６、１７の上にある商品のみを取除けば、操作部１６、１７に指を差し込むことができ、上述と同様に力を加えてロッドの先端をショーケース本体の受け穴２２から抜き出し、別の受け穴に差し込むことにより容易に高さ調整が可能である。
【０００９】
操作部は上述のような構造に限らず、滑動板にグリップを設けることにより構成してもよい。図３はその一例の、ａは平面図、ｂは断面図、ｃは使用状態を示す。滑動板１２上にグリップ３１が支点３２を中心に回転できるように取付けられ、常時は倒して滑動板上にあり、デッキパン１より下側に位置して商品陳列の邪魔にならぬようになっており、デッキパンを移動させるときのみグリップを引起して使用する。この構成によれば、ロッドを移動させると共に、グリップを持ってデッキパンを引き上げる操作が容易である。
【００１０】
図４は本発明の異なる実施例の平面図で、図１と同等部分には同符号を付してある。この実施例においては、ロッド２、３の一部がデッキパン１の開口部まで延ばされ、開口部に露出する部分４１、４２が操作部として構成されている。この開口部に露出する部分４１、４２を持って操作することによって、同様にデッキパン１の深さ又は傾斜角度を変えることができる。
【００１１】
【発明の効果】
本発明によれば、ショーケースのデッキパンの深さ又は傾斜角度を変更する場合に、従来のように商品、デッキパン、デッキ支えを順次取除く作業を全く必要とすることなく、デッキパンの開口部の上にある極一部の商品のみを取除き、デッキパンの表側から操作するだけでデッキパンの深さ又は傾斜角度を変えることができ、僅かな労力と時間を必要とするだけである。
【図面の簡単な説明】
【図１】本発明の実施例の、ａは平面図、ｂはＢ−Ｂ線に沿う断面図、ｃはａの矢印Ｃの方向から見たデッキパン、ロッド、滑動板及び操作部の拡大図である。
【図２】本発明の実施例の使用方法の説明図である。
【図３】本発明の操作部の異なる実施例のａは平面図、ｂは断面図、ｃは使用状態の断面図である。
【図４】本発明の異なる実施例の平面図である。
【図５】従来の一例の断面図である。
【符号の説明】
１  デッキパン
２  ロッド
３  ロッド
４  ロッド案内具
５  ロッド案内具
６  ロッドの先端
７  ロッドの先端
８  ばね
９  ばね
１０  連結部材
１１  連結部材
１２  滑動板
１３  滑動板
１４  滑動板案内具
１５  滑動板案内具
１６  操作部
１７  操作部
１８  操作部の凹部
１９  デッキパンの開口部
２０  デッキパンの開口部
２１  ショーケース本体
２２  受け穴
３１  グリップ
３２  グリップの支点
４１  ロッドの部分
４２  ロッドの部分
【図１】
0003812709.tif 000002
【図２】
0003812709.tif 000003
【図３】
0003812709.tif 000004
【図４】
0003812709.tif 000005
【図５】
0003812709.tif 000006